(57)【要約】      （修正有）【課題】自動巻き取り式の巻尺において、巻尺に測定テープを出し入れするときに作動する仕掛を設けて、作業者の存在をアピールできたり、使用者が目で見て楽しむことができる巻尺を提供する。【解決手段】ケースにおける一側の半ケース２のケース壁たる側壁３に内部を透視可能な窓４を設け、また、この窓４の内面と、該窓４に対向するケース内における回転ドラム６の回転面７に、放射状に直線模様８、８ａを設ける。【選択図】図１
2013007602.tif 000002
【特許請求の範囲】
【請求項１】
ケース内に、測定テープを周囲に巻き回し、該測定テープを巻き取り方向に付勢する付勢手段を内装した回転ドラムを回転自在に支持する自動巻取り式の巻尺であって、ケースの、回転ドラムの少なくとも一側の回転面に対向するケース壁に、このケース内を透視可能な窓を設け、また、該窓の少なくとも内面とこの窓に対向する回転ドラムの回転面に所定の模様を設けてなることを特徴とする巻尺。
【請求項２】
前記窓の内面および回転ドラムの回転面に配する模様が放射状の線であり、且つ、窓の内面に設ける方を立体的に、また、回転ドラムの回転面に設ける方を略平面的に設けてなることを特徴とする請求項１の巻尺。
【請求項３】
前記回転ドラムの回転面に設ける放射状の線の一部を他の線よりも太い線にし、且つ、色も変えてなることを特徴とする請求項２の巻尺。
【請求項４】
前記回転ドラムの回転面に設ける模様を、所定の部材によって発光させてなることを特徴とする請求項１の巻尺。
【請求項５】
前記ケースおよび窓を、ポリカーボネートを用いて形成してなることを特徴とする請求項１の巻尺。
【発明の詳細な説明】
【技術分野】
【０００１】
本発明は、自動巻き取り式の巻尺に関し、特に、作業者の存在を周囲にアピール可能な巻尺に関する。
【背景技術】
【０００２】
多くの作業者は、現在進行している作業に集中するため、周囲の状況を確実に把握できないことから事故に巻き込まれる恐れもあって、このことから、蛍光色や反射可能なテープを配した安全ベストを着用し、自分（作業者）の存在を周囲にアピールすることがある。
【０００３】
しかしながら、安全ベストは作業着の上に重ね着するため、特に作業中においては安全ベストが煩わしく感ずることがあり、また、気温の高い夏期などは重ね着している安全ベストによって体温の外部放出が低下して熱中症など生じる恐れや、安全ベストが汗をかいた首や腕に触れることによる不快感から作業の集中力が低下して事故が生じる恐れを理由に、安全ベストを着用をしないで作業をする者が多かった。
【０００４】
このことから出願人は鋭意精査し、その結果、巻尺を使用する作業者においては、測定テープを出し入れする際の回転ドラムの回転動作を利用することで、自分（作業者）の存在を周囲にアピールできることを見出した。
【先行技術文献】
【特許文献】
【０００５】
【特許文献１】特開２０１０−１５１５５８号公報
【発明の概要】
【発明が解決しようとする課題】
【０００６】
本発明の目的とするところは、何らかの事情により安全ベストを着用しなかった場合でも、巻尺に設けた仕掛けの動作によって該巻尺を使用する自分（作業者）の存在を周囲にアピールすることができる巻尺を提供できるようにすることにある。
【課題を解決するための手段】
【０００７】
上述した課題を解決するために、本発明に係る巻尺は、ケース内に、測定テープを周囲に巻き回し、該測定テープを巻き取り方向に付勢する付勢手段を内装した回転ドラムを回転自在に支持する自動巻取り式の巻尺であって、ケースの、回転ドラムの少なくとも一側の回転面に対向するケース壁に、このケース内を透視可能な窓を設け、また、該窓の少なくとも内面とこの窓に対向する回転ドラムの回転面に所定の模様を設けてなることを特徴とするものである。
【０００８】
本巻尺は、本体ケースが一対の２つ割のケースからなっていて、この一方のケース内面に軸を立設し、この軸に測定テープを周囲に巻き回した回転ドラムを支持している。
【０００９】
また、回転ドラムの内部にはぜんまいばねが設けられていて、この回転ドラムの周囲に巻き回された測定テープがケースの外方に引き出されていくことによって前記ぜんまいばねに付勢力が蓄積される。
【００１０】
そして、測定テープをケース内に引き込む際は、引き出された測定テープの保持状態を解除することで、ぜんまいばねに蓄積された付勢力が解放されて該ぜんまいばねが初期状態に戻る作用によって回転ドラムが回転し、引き出された測定テープをケース内に引き込み、且つ、回転ドラムの周囲に巻き回していく。
【００１１】
また、この回転ドラムにおける該回転ドラムを支持する軸の基部側と反対側に位置する回転ドラム面に対向するケース面に、このケース内を透視可能にした窓を設けている。
【００１２】
そして、該窓の少なくとも内面とこの窓に対向する前記回転ドラム面に所定の模様を設けている。
【００１３】
また、前記回転ドラム面に設ける模様は、例えば、線（直線／曲線）、円形や三角形などの図形、イラストなどの平面的、乃至、立体的な模様を設けてもよく、さらには、模様、乃至、模様を描く画面部分を任意の色で着色してもよい。
【００１４】
なお、回転ドラム面の模様は、平面的、乃至、立体的な模様を成形してなる別部材を取り付けることで形成するようにしてもよい。
【００１５】
さらに、模様、乃至、模様を描く画面部分を、畜光剤などを用いて周囲が暗くなったときに発光するようにしてもよい。
【００１６】
前記窓は、ケースを透明素材で成形した場合は、該ケースそのものが窓となり、ケースを不透明素材で形成した場合は、該ケースに開口を形成してこの開口にケース内を透視可能な素材で形成した窓となる部材を取り付ける。
【００１７】
そして、窓の少なくとも内面に所定の模様を設けるが、該模様は、回転ドラムの回転面に配した模様によっては、窓内に見える前記回転面に配した模様がぼけて見えるように、窓を半透明にしたり、線（直線や曲線）を放射状に設けるようにしてもよい。
【００１８】
また、窓に放射状の線（直線や曲線）を設ける場合は、該線の一部、乃至、全部を立体にした凸条に設けてもよく、さらには、任意の色を着色してもよい。
【００１９】
なお、窓の模様は、平面的、乃至、立体的な模様を成形してなる別部材を取り付けることで形成するようにしてもよい。
【００２０】
そして、回転ドラムが回転していることをアピールするには、窓の内面および回転ドラムの回転面に配する模様を放射状の線にし、且つ、窓の内面に設ける方を凸条の立体的に、また、回転ドラムの回転面に設ける方を略平面的にするのがよい。
【００２１】
また、回転ドラムの回転面に設ける放射状の線の一部を、所定の間隔を開けて他の線より太い線にし、且つ、色も変えることにより、回転ドラムの回転をより大にアピールすることができる。
【００２２】
そして、巻尺の本体となるケースは、窓を形成するため強度に優れる熱可塑性プラスチックの一種であるエンプラ（エンジニアリング・プラスチック）のポリカーボネートを用いるのが望ましく、また、窓もポリカーボネートを用いることによって、透明性に優れると共に、窓部の強度も得ることができる。
【００２３】
もちろん、ＡＢＳ樹脂（アクリロニトリルブタジエンスチレン樹脂）等の汎用プラスチックや、ポリアミド（ナイロン）等のエンプラを用いて巻尺の本体となるケースや窓を形成してもよいことは言うまでもない。
【発明の効果】
【００２４】
本発明の巻尺によれば、巻尺の使用により回転ドラムが回転すると、該回転ドラムにおける回転面の回転する模様に反射した光（反射光）がケース面の窓から外部に通過する際、該窓の模様によって光が断続的に遮られたり、また、該窓の立体的な模様によって乱反射することにより、巻尺を使用する自分（作業者）の存在を周囲に強くアピールすることができ、また、この乱反射によってきらめく光を確認することで、現場の離れた場所からでも容易に作業者の居場所を把握できる。
【００２５】
また、前述のように、巻尺を使用する作業者の存在を周囲にアピールできることに加え、ケース面の窓から外部に通過する反射光を装飾光として目で見て楽しむこともできるので、機能一辺倒だけでなく装飾性を備える巻尺として、近年、製造現場に増えつつある女性作業者に対しても、自己安全の向上と共に使って楽しい魅力ある巻尺を提供することができる。
【００２６】
さらに、ポリカーボネートを用いてケースおよび窓を形成することによって、巻尺の本体たるケースの強度も十分に確保できると共に窓の透明性も確保することができる。
【図面の簡単な説明】
【００２７】
【図１】本発明に係る巻尺の一例を示す半ケースを取り外した状態の斜視図。
【図２】巻尺の断面図。
【図３】窓の内面に形成した立体模様の断面を示す図。
【図４】巻尺の斜視図。
【発明を実施するための形態】
【００２８】
本発明に係る巻尺は、図１、図２に示すように、巻尺の本体となるケース１を半ケース２、２ａから構成して、このケース１における一側の半ケース２のケース壁たる側壁３に内部を透視可能な窓４を設け、また、この窓４の内面５と、該窓４に対向するケース１内における回転ドラム６の回転面７に、放射状に直線模様８、８ａを設けている。
【００２９】
そして、窓４の内面５に設けている直線模様８を、図３に示すような断面略三角形状の立体的に形成し、また、回転ドラム６の回転面７に設けている直線模様８ａを平面的に設けている。
【００３０】
したがって、本実施例における半ケース２の窓４のケース外面側に示している直線模様８は、図３における窓４の内面５に形成した断面略三角形状の直線模様８（山状の立体模様）における峰および谷の部分が、この窓４を透して見えているものである。
【００３１】
また、本実施例における回転ドラム６の回転面７に設けた直線模様８ａは、直線（直線模様８ａ）を印刷した所定の薄板状部材たる台紙を回転面７上に貼り付けることにより、該回転面７に直線模様８ａを形成している。
さらに、直線模様８ａや該直線模様８ａを印刷する台紙の上面を、光の反射に有利な光沢を有するものにする場合がある。
【００３２】
しかも、直線模様８ａは、テープの引き出しや巻き取りの際に回転ドラム６の回転をより大にアピールできるようにするため、直線模様８における一部の直線を、他の直線よりも太い直線（太線９）にし、且つ、色も他の直線と異なるものにしている。
【００３３】
図４は、本発明の巻尺の一例であり、図４中の（ａ）の巻尺は、図１に示した巻尺の取り外した半ケース２を半ケース２ａに嵌合して、巻尺の本体たるケース１を形成した状態のものである。
また、図４中の（ｂ）の巻尺は、測定用テープ１１を所望の引き出し位置で固定するためのブレーキ手段をＯＮ／ＯＦＦするブレーキレバー１０を設けたものである。
【００３４】
このように構成した本巻尺は、巻尺の本体たるケース１に測定テープ１１を出し入れするときに回転ドラム６が回転すると、回転ドラム６の回転面７の回転する直線模様８ａに反射した光（反射光）が、半ケース２の窓４から外部に通過する際に該窓４の直線模様８（山状の立体模様）によって乱反射する。
【００３５】
そして、直線模様８における一部の直線を、他の直線よりも太い直線（太線９）にし、且つ、色も他の直線と異なるものにしているので、回転ドラム６が高速で回転してしまった場合であっても、適当な間隔で設けた太線９が他の模様（直線模様８）に同化することなく、該太線９に反射した光（反射光）が半ケース２の窓４から外部に通過する際に該窓４の直線模様８（山状の立体模様）によって乱反射する。
【００３６】
したがって、巻尺を使用する自分（作業者）の存在を周囲に強くアピールすることができ、また、上述の乱反射によってきらめく光を確認することで、現場の離れた場所からでも容易に作業者の居場所を把握できる。
【００３７】
実施例における図中の符号１２は、回転ドラム６を支持する半ケース２ａに立設した軸、符号１３は、回転ドラム６内に備える測定用テープ１１を巻き取るための巻き取りばね、符号１４は、測定用テープ１１の先端に備えるフック、符号１５は、ケースを作業者のベルトに係着するためのベルトクリップである。
【符号の説明】
【００３８】
１  ケース
２  半ケース
２ａ  半ケース
３  側壁
４  窓
５  内面
６  回転ドラム
７  回転面
８  直線模様
８ａ  直線模様
９  太線
１０  ブレーキレバー
１１  測定用テープ
１２  軸
１３  巻き取りばね
１４  フック
１５  ベルトクリップ
【図１】
2013007602.tif 000003
【図２】
2013007602.tif 000004
【図３】
2013007602.tif 000005
【図４】
2013007602.tif 000006